【手続補正書】
【提出日】平成17年2月23日(2005.2.23)
【手続補正１】
【補正対象書類名】特許請求の範囲
【補正対象項目名】全文
【補正方法】変更
【補正の内容】
【特許請求の範囲】
【請求項１】
可変速フレームレート撮像画像の画像信号を生成する画像信号生成手段と、
前記画像信号生成手段を駆動制御する駆動制御手段と、
前記画像信号生成手段で生成される画像信号に対してフレーム同期が取られた画像信号を生成させるための撮像設定情報を生成する設定情報生成手段と、
前記画像信号生成手段で生成された画像信号と前記撮像設定情報を出力する出力手段を有する
することを特徴とする撮像装置。
【請求項２】
前記出力手段は、前記撮像設定情報を前記画像信号のブランキング期間に挿入して出力する
ことを特徴とする請求項１記載の撮像装置。
【請求項３】
前記設定情報生成手段の前記撮像設定情報にはフレームレート情報を含めるものとし、
前記駆動制御手段は、前記撮像設定情報の出力後に開始する前記可変速フレームレート撮像画像のフレームから、該出力した撮像設定情報のフレームレート情報によって示されるフレームレートを前記可変速フレームレート撮像画像のフレームレートとして前記画像信号生成手段を駆動制御する
ことを特徴とする請求項１記載の撮像装置。
【請求項４】
前記設定情報生成手段は、前記画像信号生成手段で生成する画像信号の走査線位置と画素位置の情報を前記撮像設定情報に含める
ことを特徴とする請求項１記載の撮像装置。
【請求項５】
フレームレート変更パターンを保持する保持手段を有し、
前記保持手段に保持されているフレームレート変更パターンを読み出し、該読み出したフレームレート変更パターンに応じてフレームレートを指示して、前記可変速フレームレート撮像画像のフレームレートを可変させるとき、
前記設定情報生成手段は、前記読み出したフレームレート変更パターンを示す情報を前記撮像設定情報に含めるものとし、
前記駆動制御手段は、前記撮像設定情報の出力後に開始する前記可変速フレームレート撮像画像のフレームから、前記指示されたフレームレートを前記可変速フレームレート撮像画像のフレームレートに設定して前記画像信号生成手段を駆動制御する
ことを特徴とする請求項１記載の撮像装置。
【請求項６】
前記可変速フレームレート撮像画像のフレームレートを指示する複数のフレームレート指示手段と、
前記複数のフレームレート指示手段に優先順位を設定して、最も優先順位の高いフレームレート指示手段で指示されたフレームレートを前記可変速フレームレート撮像画像のフレームレートとして設定する動作制御手段とを有し、
前記設定情報生成手段は、前記設定された可変速フレームレート撮像画像のフレームレートの画像信号に対してフレーム同期が取られた画像信号を生成させるための撮像設定情報を生成する
ことを特徴とする請求項１記載の撮像装置。
【請求項７】
可変速フレームレート撮像画像の画像信号を生成する画像信号生成手段と、
基準可変速フレームレート撮像画像の画像信号に対してフレーム同期が取られた画像信号を生成させるための撮像設定情報が入力されて、該撮像設定情報に基づき前記画像信号生成手段の駆動動作を制御して、前記画像信号生成手段で生成される画像信号を前記基準可変速フレームレート撮像画像の画像信号にフレーム同期させる駆動制御手段を有する
することを特徴とする撮像装置。
【請求項８】
前記駆動制御手段は、前記撮像設定情報に前記基準可変速フレームレート撮像画像のフレームレートを示すフレームレート情報が含まれているとき、該撮像設定情報の入力後に開始する前記可変速フレームレート撮像画像のフレームから、該入力した撮像設定情報のフレームレート情報によって示されるフレームレートを前記可変速フレームレート撮像画像のフレームレートとして前記画像信号生成手段を駆動する
することを特徴とする請求項７記載の撮像装置。
【請求項９】
前記駆動制御手段は、前記撮像設定情報が走査線位置と画素位置の情報を有しているとき、前記画像信号生成手段で生成する画像信号を該走査線位置と画素位置に同期させる
ことを特徴とする請求項７記載の撮像装置。
【請求項１０】
フレームレート変更パターンを保持する保持手段を有し、
前記保持手段は、前記撮像設定情報にフレームレート変更パターンを読み出す情報が設けられていたとき、該情報で示されたフレームレート変更パターンを読み出して、該読み出したフレームレート変更パターンに応じてフレームレートを指示し、
前記駆動制御手段は、前記撮像設定情報の入力後に開始する前記可変速フレームレート撮像画像のフレームから、前記保持手段で指示されたフレームレートを前記可変速フレームレート撮像画像のフレームレートとして前記画像信号生成手段を駆動する
ことを特徴とする請求項７記載の撮像装置。
【請求項１１】
前記可変速フレームレート撮像画像のフレームレートを指示するフレームレート指示手段と、
前記フレームレート指示手段で指示されたフレームレートと前記撮像設定情報に基づいたフレームレートに優先順位を設定して、優先順位の高いフレームレートを前記可変速フレームレート撮像画像のフレームレートとして設定する動作制御手段とを有し、
前記駆動制御手段は、前記可変速フレームレート撮像画像のフレームレートを、前記動作制御手段で設定されたフレームレートとして前記画像信号生成手段を駆動する
ことを特徴とする請求項７記載の撮像装置。
【請求項１２】
前記動作制御手段は、前記フレームレート指示手段で指示されたフレームレートよりも前記撮像設定情報に基づいたフレームレートの優先順位を高く設定したとき、前記撮像設定情報の入力が停止された場合は、前記撮像設定情報の入力前に設定されていたフレームレートを、前記可変速フレームレート撮像画像のフレームレートに設定する
ことを特徴とする請求項１１記載の撮像装置。
【請求項１３】
前記動作制御手段は、前記フレームレート指示手段で指示されたフレームレートよりも前記撮像設定情報に基づいたフレームレートの優先順位を高く設定したとき、前記撮像設定情報の入力が停止された場合は、前記撮像設定情報の入力停止時のフレームレートを、前記可変速フレームレート撮像画像のフレームレートに設定する
ことを特徴とする請求項１１記載の撮像装置。
【請求項１４】
前記画像信号生成手段で生成された画像信号と前記入力された撮像設定情報を出力する出力手段を有する
ことを特徴とする請求項７記載の撮像装置。
【請求項１５】
可変速フレームレート撮像画像の画像信号を生成する画像信号生成手段を有した撮像装置に対して同期信号を供給する同期信号発生装置において、
前記撮像装置の前記画像信号生成手段で生成される画像信号を基準フレームにフレーム同期させる撮像設定情報を生成する設定情報生成手段と、
前記基準フレームに対応した同期信号を生成する同期信号生成手段と、
前記生成された撮像設定情報を前記生成された同期信号に挿入して出力する同期信号出力手段と、
前記基準フレームを設定する制御手段とを有する
ことを特徴とする同期信号発生装置。
【請求項１６】
前記同期信号出力手段は、ブランキング期間の位置で前記生成された撮像設定情報を同期信号に挿入する
ことを特徴とする請求項１５記載の同期信号発生装置。
【請求項１７】
可変速フレームレート撮像画像の画像信号を生成する画像信号生成部と、
前記画像信号生成部を駆動制御するコントローラと、
前記画像信号生成部で生成される画像信号に対してフレーム同期が取られた画像信号を生成させるための撮像設定情報を生成する設定情報生成部と、
前記画像信号生成部で生成された画像信号と前記撮像設定情報を出力する出力部を有する
ことを特徴とする撮像装置。
【手続補正２】
【補正対象書類名】明細書
【補正対象項目名】０００８
【補正方法】変更
【補正の内容】
【０００８】
この発明に係る撮像装置は、可変速フレームレート撮像画像の画像信号を生成する画像信号生成手段と、画像信号生成手段を駆動制御する駆動制御手段と、画像信号生成手段で生成される画像信号に対してフレーム同期が取られた画像信号を生成させるための撮像設定情報を生成する設定情報生成手段と、画像信号生成手段で生成された画像信号と撮像設定情報を出力する出力手段を有するものである。
【手続補正３】
【補正対象書類名】明細書
【補正対象項目名】０００９
【補正方法】変更
【補正の内容】
【０００９】
また、この発明に係る撮像装置は、可変速フレームレート撮像画像の画像信号を生成する画像信号生成手段と、基準可変速フレームレート撮像画像の画像信号に対してフレーム同期が取られた画像信号を生成させるための撮像設定情報が入力されて、該撮像設定情報に基づき画像信号生成手段の駆動動作を制御して、画像信号生成手段で生成される画像信号を基準可変速フレームレート撮像画像の画像信号にフレーム同期させる駆動制御手段を有するものである。
【手続補正４】
【補正対象書類名】明細書
【補正対象項目名】００１０
【補正方法】変更
【補正の内容】
【００１０】
さらに、この発明に係る同期信号発生装置は、可変速フレームレート撮像画像の画像信号を生成する画像信号生成手段を有した撮像装置に対して同期信号を供給する同期信号発生装置において、撮像装置の画像信号生成手段で生成される画像信号を基準フレームにフレーム同期させる撮像設定情報を生成する設定情報生成手段と、基準フレームに対応した同期信号を生成する同期信号生成手段と、生成された撮像設定情報を生成された同期信号に挿入して出力する同期信号出力手段と、基準フレームを設定する制御手段とを有するものである。
また、この発明に係る撮像装置は、可変速フレームレート撮像画像の画像信号を生成する画像信号生成部と、画像信号生成部を駆動制御するコントローラと、画像信号生成部で生成される画像信号に対してフレーム同期が取られた画像信号を生成させるための撮像設定情報を生成する設定情報生成部と、画像信号生成部で生成された画像信号と撮像設定情報を出力する出力部を有するものである。
【手続補正５】
【補正対象書類名】明細書
【補正対象項目名】００１１
【補正方法】変更
【補正の内容】
【００１１】
この発明においては、駆動制御手段によって、可変速フレームレート撮像画像の画像信号を生成する画像信号生成手段が駆動制御される。また、設定情報生成手段によって、この生成される画像信号に対してフレーム同期が取られた画像信号を生成させるための撮像設定情報が生成される。この撮像設定情報が生成された画像信号の例えばブランキング期間に挿入されて出力手段から出力される。また、撮像設定情報にフレームレート情報が含まれているとき、この撮像設定情報の出力後に開始する可変速フレームレート撮像画像のフレームから、撮像設定情報のフレームレート情報によって示されるフレームレートが可変速フレームレート撮像画像のフレームレートに設定されて画像信号の生成が行われる。また、読み出したフレームレート変更パターンに応じてフレームレートが指示されて、可変速フレームレート撮像画像のフレームレートを可変させるとき、読み出したフレームレート変更パターンを示す情報が撮像設定情報に含められるとともに、撮像設定情報の出力後に開始する可変速フレームレート撮像画像のフレームから、指示されたフレームレートが可変速フレームレート撮像画像のフレームレートに設定されて画像信号の生成が行われる。さらに、可変速フレームレート撮像画像のフレームレートを指示する複数のフレームレート指示手段が設けられるときは、複数のフレームレート指示手段に優先順位が設定されて、フレームレートの指示が複数行われたときには、最も優先順位の高いフレームレート指示手段で指示されたフレームレートが可変速フレームレート撮像画像のフレームレートに設定される。
【手続補正６】
【補正対象書類名】明細書
【補正対象項目名】００１４
【補正方法】変更
【補正の内容】
【００１４】
この発明によれば、可変速フレームレート撮像画像の画像信号を生成する画像信号生成手段と、画像信号生成手段を駆動制御する駆動制御手段と、画像信号生成手段で生成される画像信号に対してフレーム同期が取られた画像信号を生成させるための撮像設定情報を生成する設定情報生成手段と、画像信号生成手段で生成された画像信号と撮像設定情報を出力する出力手段を有するものとされる。このため、出力された撮像設定情報に基づき画像信号の生成動作を制御することで、撮像設定情報が挿入された画像信号に対してフレーム同期した画像信号を生成できる。
【手続補正７】
【補正対象書類名】明細書
【補正対象項目名】００１７
【補正方法】変更
【補正の内容】
【００１７】
さらに、可変速フレームレート撮像画像の画像信号を生成する画像信号生成手段と、基準可変速フレームレート撮像画像の画像信号に対してフレーム同期が取られた画像信号を生成させるための撮像設定情報が入力されて、該撮像設定情報に基づき画像信号生成手段の駆動動作を制御して、画像信号生成手段で生成される画像信号を基準可変速フレームレート撮像画像の画像信号にフレーム同期させる駆動制御手段を有するものとされる。このため、基準可変速フレームレート撮像画像の画像信号に対してフレーム同期が取られた画像信号を生成できる。
【手続補正８】
【補正対象書類名】明細書
【補正対象項目名】００２０
【補正方法】変更
【補正の内容】
【００２０】
さらに、同期信号発生装置は、撮像装置の画像信号生成手段で生成される画像信号を基準フレームにフレーム同期させる撮像設定情報を生成する設定情報生成手段と、該基準フレームに対応した同期信号を生成する同期信号生成手段と、生成された撮像設定情報を生成された同期信号に挿入して出力する同期信号出力手段と、基準フレームを設定する制御手段とを有するものとされるので、同期信号発生装置に接続された撮像装置で生成される画像信号をフレーム同期させることができる。
【手続補正９】
【補正対象書類名】明細書
【補正対象項目名】００４０
【補正方法】変更
【補正の内容】
【００４０】
駆動制御手段および設定情報生成手段である信号生成制御部２４は、ＶＣＯ２３で生成された発振信号ＭＣを用いて、動作制御部３０から供給されたカウンタ設定情報ＳＴcに基づいたカウント動作を行う。さらに、カウント結果を利用して撮像部１１１を駆動するためのタイミング信号ＰＴや同期信号ＳＹdを生成して駆動部１１７に供給する。なお、同期信号ＳＹrefが供給されているときは、同期信号ＳＹoutと同期信号ＳＹdの位相差分だけ、同期信号ＳＹrefよりも位相を進めて同期信号ＳＹdを生成することで、同期信号ＳＹoutを同期信号ＳＹrefに同期させることができる。
【手続補正１０】
【補正対象書類名】明細書
【補正対象項目名】００６８
【補正方法】変更
【補正の内容】
【００６８】
以下同様に、ＲＡＭ-1〜ＲＡＭ-3と加算器等を使用して画像信号ＤＶbを３フレーム加算して３フレーム加算信号を生成し、この３フレーム加算信号を画像信号ＤＶcのフレーム開始タイミングで読み出すことにより、有効なフレームが可変速フレームレートＦＲcで含まれたフレームレートの画像信号ＤＶcを得ることができる。すなわち、図７Ｅに示すように、信号ＣＡＭが供給される機器に対応した記録フレームレート（例えば「６０Ｐ」）であり、所望の可変速フレームレート「１８Ｐ」で有効なフレームが含まれた画像信号ＤＶcを生成することができる。なお、３フレーム加算信号の信号レベルを「１／３」倍した信号をメモリに記憶して、この記憶した信号を１８Ｐのフレームレートで読み出すものとすれば、１８Ｐのフレームレートの信号とすることができることは勿論である。
【手続補正１１】
【補正対象書類名】明細書
【補正対象項目名】００９３
【補正方法】変更
【補正の内容】
【００９３】
図１２は、同期信号発生装置の構成を示している。なお、図１２において、図５と対応する部分については同一符号を付し、詳細な説明は省略する。制御部５１にはユーザインタフェース部５２が接続されており、制御部５１は、ユーザインタフェースからの操作信号ＰＳbによって示された可変速フレームレートＦＲcに応じて、カウンタ設定情報ＳＴcとフレームレート設定情報ＳＦＲを生成する。さらに生成したカウンタ設定情報ＳＴcを設定情報生成手段および同期信号生成手段である信号生成制御部２４ａのカウンタ設定ラッチ部２４１に供給する。また、フレームレート設定情報ＳＦＲを撮像設定情報ラッチ部２４８に供給する。